(57)【要約】【課題】カバー回動軸支持部材を備える構成で、安定した開閉動作を行うことができるカバー開閉機構、及び、このカバー開閉機構を備えた画像形成装置を提供する。【解決手段】装置本体２００の一部を覆う閉鎖状態から、その移動端が装置本体から離れる方向に移動するようにカバー回動軸１１を中心に回動することで、装置本体２００の一部を開放する開放状態となる開閉カバー１０と、カバー回動軸１１を支持し、カバー回動軸１１と平行なアーム回動軸２１を中心に回動することで、カバー回動軸１１の装置本体２００に対する位置を変化させるアーム部材２０とを備えるカバー開閉機構１００において、カバー回動軸１１が装置本体２００に近付く方向に移動する回動方向にアーム部材２０が回動するように、アーム部材２０を付勢する加圧部材２５を備える。【選択図】図１
2014170117.tif 000002
【特許請求の範囲】
【請求項１】
装置本体の一部を覆う閉鎖状態から、その移動端が該装置本体から離れる方向に移動するようにカバー回動軸を中心に回動することで、該装置本体の一部を開放する開放状態となるカバー部材と、
該カバー回動軸を支持し、該カバー回動軸と平行な支持部材回動軸を中心に回動することで、該カバー回動軸の該装置本体に対する位置を変化させるカバー回動軸支持部材とを備えるカバー開閉機構において、
上記カバー回動軸が上記装置本体に近付く方向に移動する回動方向に上記カバー回動軸支持部材が回動するように、該カバー回動軸支持部材を付勢する付勢手段を備えることを特徴とするカバー開閉機構。
【請求項２】
請求項１のカバー開閉機構において、
上記カバー部材における上記移動端とは反対側の端部である根元側端部は、上記閉鎖状態のときには、該カバー部材の外面よりも上記装置本体側に位置し、
該閉鎖状態のときに該カバー部材に覆われ、該カバー部材に近接して対向する該装置本体側の面である被カバー面のその表面に直交する方向の位置が、該閉鎖状態での該根元側端部と同じ位置、または、該根元側端部よりも該カバー部材の外面側に位置することを特徴とするカバー開閉装置。
【請求項３】
請求項１または２のカバー開閉機構において、
上記カバー部材は、上記移動端とは反対側の端部である根元側端部近傍に円弧状の丸み部が形成されており、
上記カバー回動軸に直交する平面で、該丸み部の円弧の中心と該カバー回動軸とを結んだ直線と、上記閉鎖状態のときに該カバー部材に覆われ、該カバー部材に近接して対向する該装置本体側の面である被カバー面の法線のうち、該カバー回動軸を通る法線とが成す角のうちの鈍角となる角の角度は、上記開放状態のときに必要な該カバー部材の該被カバー面に対する角度以上であることを特徴とするカバー開閉機構。
【請求項４】
請求項１乃至３の何れかに記載のカバー開閉機構において、
上記閉鎖状態のときに上記カバー部材に覆われ、該カバー部材に近接して対向する該装置本体側の面である被カバー面に対して、上記付勢手段の付勢によって突き当たる突き当て部を該カバー部材が有することを特徴とするカバー開閉機構。
【請求項５】
請求項１乃至４の何れかに記載のカバー開閉機構において、
上記閉鎖状態で上記移動端を保持する移動端保持手段を備えることを特徴とするカバー開閉機構。
【請求項６】
請求項５のカバー開閉機構において、
上記移動端保持手段としてプッシュ式ラッチを備えることを特徴とするカバー開閉機構。
【請求項７】
記録体に画像を形成する画像形成手段と、
装置本体の一部を覆うカバー部材の開閉を行うカバー開閉手段とを有する画像形成装置において、
上記カバー開閉手段として、請求項１乃至６の何れかに記載のカバー開閉機構を備えることを特徴とする画像形成装置。
【発明の詳細な説明】
【技術分野】
【０００１】
本発明は、装置本体の一部を覆うカバー部材を回動させることによってカバー部材を開閉させるカバー開閉機構と、このカバー開閉機構を備えるプリンタ、複写機、ファクシミリ等の画像形成装置に関するものである。
【背景技術】
【０００２】
画像形成装置には複数の交換部品があり、ユーザが交換のためにカバー部材を開閉する必要がある。カバー部材を開閉するカバー開閉機構としては、装置本体に固定されたカバー回動軸を中心にカバー部材が回動する機構が一般的である。このようなカバー開閉機構では、カバー部材が装置本体の一部を覆う閉鎖状態から、カバー部材の移動端が装置本体から離れる方向に移動するようにカバー部材がカバー回動軸を中心に回動することで覆われていた装置本体の一部を開放する開放状態となる。カバー部材の移動端とは、回動軸に直交する方向についてのカバー部材の両端部のうち、カバー部材の開閉動作によって他方の端部よりも大きく変位する側の端部である。また、上記両端部のうち、移動端とは反対側の端部を根元側端部と呼ぶ。
【０００３】
このようにカバー回動軸が装置本体に固定されたカバー開閉機構では、カバー部材の開閉動作の際に根元側端部が、閉鎖状態でカバー部材と対向する装置本体側の部品と干渉しないように、各部材を配置する必要がある。
図１２は、カバー回動軸１１が装置本体２００に固定されたカバー開閉機構１００の閉鎖状態におけるカバー回動軸１１近傍の拡大平面図である。図１２（ａ）は、カバー部材である開閉カバー１０の根元側端部にカバー回動軸１１を設けた例の平面図であり、図１２（ｂ）は、根元側端部よりも移動端側にカバー回動軸１１を設けた例の平面図である。図１２に示すカバー開閉機構１００では、開閉カバー１０における図中右側の端部（図示は省略）が移動端部である。そして、この移動端部が装置本体２００から離れる方向（図中下方）に移動するように開閉カバー１０がカバー回動軸を中心に図柱矢印Ａ方向に回動することで覆われていた装置本体２００の一部を開放する開放状態となる。また、図１２に示す例の閉鎖状態では、装置本体２００の被カバー面２０１が開閉カバー１０と対向する。
【０００４】
図１２（ａ）に示すように、開閉カバー１０の根元側端部にカバー回動軸１１を設けた構成では、開閉カバー１０を図中矢印Ａ方向に回動させると、根元側端部の角である根元側角部１２は、図中の矢印Ｂで示すようにカバー回動軸１１を中心に回動する。図１２（ａ）では、被カバー面２０１の法線のうち、根元側角部１２を通る法線Ｎ上にカバー回動軸１１が位置するため、図１２（ａ）に示す状態が、根元側角部１２が被カバー面２０１に最も近付く状態である。図１２（ａ）に示す状態で、根元側角部１２が被カバー面２０１に接触していないため、閉鎖状態で開閉カバー１０が被カバー面２０１に近接するように配置しても、根元側角部１２が装置本体２００側の被カバー面２０１と干渉しない配置を実現できる。
【０００５】
しかし、図１２（ａ）に示すように、根元側端部にカバー回動軸１１を設ける構成では、閉鎖状態でカバー回動軸１１（カバー回動軸１１を含むヒンジ部分）が剥き出しになり、見た目が悪くなるという不具合がある。また、法線Ｎ上にカバー回動軸１１が位置するように配置する必要があるため、開閉カバー１０の根元側端部の形状が限られ、図１２（ｂ）に示すような丸みを帯びた形状とすることができないという不具合がある。
【０００６】
一方、図１２（ｂ）に示す例では、根元側端部よりも移動端側にカバー回動軸１１を設けているため、閉鎖状態でカバー回動軸１１が剥き出しになっていない。また、開閉カバー１０の根元側端部の形状が丸みを帯びた形状となっている。
このような構成の場合、閉鎖状態では、根元側角部１２が被カバー面２０１に最も近付いた状態とはなっていない。開閉カバー１０がカバー回動軸１１を中心に図中矢印Ａで示すように回動し、根元側角部１２が図中矢印Ｂで示す軌跡で移動したときに、根元側角部１２が被カバー面２０１と干渉しない配置とする必要がある。
【０００７】
このような配置を実現するためには、根元側角部１２からカバー回動軸１１までの距離Ｌ１よりも、被カバー面２０１の表面からカバー回動軸１１までの距離Ｌ２の方が長くなるような配置とする必要がある。このように配置すると、図１２（ｂ）に示すように、閉鎖状態で被カバー面２０１と開閉カバー１０との間に図中矢印Ｄで示す隙間が形成される。このような隙間が形成されると、開閉カバー１０に覆われる部分の幅方向（図中の左右方向であり、以下、「被カバー部幅方向」と呼ぶ）全域に隙間が形成されることになる。このため、隙間が形成されることで、閉鎖状態の画像形成装置を図１２中の左側から見たときの見た目が悪くなるだけではなく、画像形成装置の配置スペースが大きくなるという問題も生じる。
【０００８】
閉鎖状態でカバー回動軸を剥き出しにすることなく、被カバー面とカバー部材とを近接させることが可能な構成として、特許文献１に記載のカバー開閉機構のように、カバー回動軸の装置本体に対する位置を変化させる構成がある。この構成は、カバー回動軸を支持し、カバー回動軸と平行な支持部材回動軸を中心に回動することで、カバー回動軸の装置本体に対する位置を変化させるカバー回動軸支持部材を備えた構成である。
【発明の概要】
【発明が解決しようとする課題】
【０００９】
図１３に、特許文献１と同様にカバー回動軸支持部材を備えたカバー開閉機構の一例を示す。特許文献１には、カバー回動軸の軸中心が水平方向に延在する構成が記載されているが、図１３に示すカバー開閉機構は、カバー回動軸の軸中心が鉛直方向に延在する構成である。
図１３は、カバー回動軸支持部材であるアーム部材２０と、支持部材回動軸であるアーム回動軸２１とを備えるカバー開閉機構１００の一例のカバー回動軸１１近傍の拡大平面図である。図１３（ａ）は、閉鎖状態の説明図であり、図１３（ｂ）は、開放状態の説明図である。
図１３に示すカバー開閉機構１００では、閉鎖状態で開閉カバー１０が被カバー面２０１に近接するように配置しているため、開閉カバー１０を図中矢印Ａ方向に回動させると、根元側角部１２はカバー回動軸１１を中心に回動して、被カバー面２０１に突き当たる。この状態からさらに開閉カバー１０を図中矢印Ａ方向に回動させると根元側角部１２が被カバー面２０１を押圧するが、被カバー面２０１は装置本体２００に対して固定である。このため、被カバー面２０１が根元側角部１２を押し返す力が開閉カバー１０を介してカバー回動軸１１に作用する。
【００１０】
この作用により、カバー回動軸１１を支持するアーム部材２０がアーム回動軸２１を中心に図中矢印Ｃ方向に回動し、カバー回動軸１１が被カバー面２０１から離れる方向に移動する。カバー回動軸１１が被カバー面２０１から離れる方向に移動することで、根元側角部１２が被カバー面２０１に干渉することなく、開閉カバー１０の開放を行うことができる。
【００１１】
また、図１３（ｂ）に示す状態から開閉カバー１０を図中矢印Ａ’方向に回動させることで、図１３（ａ）に示す閉鎖状態とすることができる。
図１３に示すカバー開閉機構１００では、閉鎖状態でカバー回動軸１１が剥き出しになっておらず、さらに、開閉カバー１０と被カバー面２０１との隙間を図１２（ｂ）の構成に比べて狭くすることができる。このため、根元側角部１２が被カバー面２０１に干渉しない開閉カバー１０の開閉を実現しつつ、閉鎖状態での画像形成装置の見た目を向上することができる。
【００１２】
しかしながら、カバー回動軸１１を支持し、装置本体２００に対して回動可能なアーム部材２０を備える図１３に示す構成では、次のような不具合が生じることがあった。
すなわち、図１３（ａ）に示す閉鎖状態では、開閉カバー１０は、被カバー部幅方向（図中左右方向）についての位置がアーム回動軸２１よりも開閉カバー１０の根元側（図中左側）にある。このようなカバー回動軸１１が、開閉動作をしているとき等に、アーム回動軸２１よりも開閉カバー１０の移動端側（右側）に移動してしまうことがある。すなわち、被カバー部幅方向におけるカバー回動軸１１とアーム回動軸２１との位置関係が入れ替わることがある。
【００１３】
図１４は、カバー回動軸１１が、アーム回動軸２１よりも開閉カバー１０の移動端側に移動した状態の説明図である。
図１３（ｂ）に示す開放状態ではアーム部材２０は自由に回動できる。このため、図１４（ａ）に示すように、開放状態のまま、カバー回動軸１１がアーム回動軸２１よりも移動端側に移動するように、アーム部材２０が回転することがある。図１４（ａ）に示す状態から開閉カバー１０を図中矢印Ａ’方向に回動させると、図１４（ｂ）に示すように開閉カバー１０が覆う位置がずれた状態となってしまう。また、装置本体２００側の形状によっては、図１４（ｂ）に示す状態となる前に開閉カバー１０の移動端側が装置本体２００に引っかかり、それ以上に図中矢印Ａ’方向に回動できなくなる場合もある。
【００１４】
このように、アーム部材２０を備えるカバー開閉機構１００では、開放状態のときにアーム部材２０が自由に回動できることに起因して、被カバー部幅方向におけるカバー回動軸と支持部材回動軸との位置関係が入れ替わり、開閉動作が不安定になることがある。
上述したカバー開閉機構では、閉鎖状態で、カバー回動軸が支持部材回動軸よりもカバー部材の根元側に位置する構成で、被カバー部幅方向におけるカバー回動軸と支持部材回動軸との位置関係が入れ替わる不具合について説明した。このような不具合は、閉鎖状態で、カバー回動軸が支持部材回動軸よりもカバー部材の移動端側に位置する構成であっても生じ得る。
また、図１２〜図１４に示す例では、カバー回動軸の軸方向が鉛直方向となる構成について説明したが、カバー回動軸の軸方向が水平方向の構成であっても同様の問題が生じ得る。
【００１５】
上述した被カバー部幅方向は、装置本体側のカバー部材によって覆われる部分を形成する被カバー面表面に平行な方向で、且つ、カバー回動軸の軸方向に直交する方向である。図１２〜図１４に示す例は、この被カバー部幅方向が水平方向となる構成である。被カバー部幅方向におけるカバー回動軸と支持部材回動軸との位置関係が入れ替わり、開閉動作が不安定になる不具合は、被カバー部幅方向が水平方向である場合に限らず、被カバー部幅方向が鉛直方向に平行である場合も生じ得る不具合である。
【００１６】
本発明は以上の問題点に鑑みなされたものであり、その目的は、カバー回動軸支持部材を備える構成で、安定した開閉動作を行うことができるカバー開閉機構、及び、このカバー開閉機構を備えた画像形成装置を提供することである。
【課題を解決するための手段】
【００１７】
上記目的を達成するために、請求項１の発明は、装置本体の一部を覆う閉鎖状態から、その移動端が該装置本体から離れる方向に移動するようにカバー回動軸を中心に回動することで、該装置本体の一部を開放する開放状態となるカバー部材と、該カバー回動軸を支持し、該カバー回動軸と平行な支持部材回動軸を中心に回動することで、該カバー回動軸の該装置本体に対する位置を変化させるカバー回動軸支持部材とを備えるカバー開閉機構において、上記カバー回動軸が上記装置本体に近付く方向に移動する回動方向に上記カバー回動軸支持部材が回動するように、該カバー回動軸支持部材を付勢する付勢手段を備えることを特徴とするものである。
【００１８】
カバー回動軸支持部材を備えるカバー開閉機構では、被カバー部幅方向におけるカバー回動軸の位置と支持部材回動軸の位置とが同じ位置となるとき、カバー回動軸は装置本体から最も離れた位置となる。このため、被カバー部幅方向におけるカバー回動軸と支持部材回動軸との位置関係が入れ替わるときには、次のような動きとなる。すなわち、閉鎖状態からカバー回動軸が装置本体から離れる方向に移動する回動方向にカバー回動軸支持部材が回動し、カバー回動軸が装置本体から最も離れた位置となった後、さらに、回動することでカバー回動軸と支持部材回動軸との位置関係が入れ替わる。
【００１９】
本発明においては、付勢部材が、カバー回動軸が装置本体に近付く方向に移動する回動方向にカバー回動軸支持部材が回動するようにカバー回動軸支持部材を付勢するため、カバー回動軸が装置本体から最も離れた位置となることを抑制する。これにより、被カバー部幅方向におけるカバー回動軸の位置と支持部材回動軸の位置とが同じ位置となることを抑制し、カバー回動軸と支持部材回動軸との位置関係が入れ替わることを抑制する。これにより、被カバー部幅方向におけるカバー回動軸と支持部材回動軸との位置関係が入れ替わって、開閉動作が不安定になることを抑制できる。
【発明の効果】
【００２０】
本発明によれば、カバー回動軸支持部材を備える構成で、安定した開閉動作を行うことができるという優れた効果がある。
【図面の簡単な説明】
【００２１】
【図１】本実施形態のカバー開閉機構を模式的に示した平面図、（ａ）は、閉鎖状態の説明図、（ｂ）は、開放状態の説明図。
【図２】本実施形態に係る複写機の全体の構成例を示す概略構成図。
【図３】第二給紙部を取り付けた複写機を示す図。
【図４】開閉カバーを開放した状態の複写機の斜視図。
【図５】図４中の領域αの拡大説明図。
【図６】カバー開閉機構の平面図。
【図７】閉鎖状態のカバー開閉機構における開閉カバー回動軸近傍の拡大平面図。
【図８】一つ目の開放途中の状態のカバー開閉機構における開閉カバー回動軸近傍の拡大平面図。
【図９】二つ目の開放途中の状態のカバー開閉機構における開閉カバー回動軸近傍の拡大平面図。
【図１０】開放状態のカバー開閉機構における開閉カバー回動軸近傍の拡大平面図。
【図１１】プッシュ式ラッチを配置した複写機の斜視図。
【図１２】カバー回動軸が装置本体に固定されたカバー開閉機構の閉鎖状態におけるカバー回動軸近傍の拡大平面図、（ａ）は、開閉カバーの根元側端部にカバー回動軸を設けた例の平面図、（ｂ）は、根元側端部よりも移動端側にカバー回動軸を設けた例の平面図。
【図１３】アーム部材と、アーム回動軸とを備えるカバー開閉機構の一例のカバー回動軸近傍の拡大上面、（ａ）は、閉鎖状態の説明図、（ｂ）は、開放状態の説明図。
【図１４】カバー回動軸がアーム回動軸よりも開閉カバーの移動端側に移動した状態の説明図、（ａ）は開放状態の説明図、（ｂ）は閉鎖状態の説明図。
【発明を実施するための形態】
【００２２】
以下、図面を参照して、本発明の実施形態を説明する。
まず、本実施形態に係る画像形成装置の構成例について説明する。
図２は、本実施形態に係る画像形成装置である複写機５００の全体の構成例を示す概略構成図である。図２に示す複写機５００は、イエロー（以下、Ｙ）、マゼンダ（以下、Ｍ）、シアン（以下、Ｃ）、ブラック（以下、Ｋ）の四色トナーから一画像を形成するカラー画像形成装置である。この複写機５００は、画像形成部６０、給紙部２、画像形成対象である原稿の画像を読み取る画像読取手段としてのスキャナ３などを備えている。また画像形成部６０の図中右側側方には、反転搬送部としての反転装置３１が設けられている。
【００２３】
画像形成部６０は、各色を形成する四つの作像ユニット５（Ｙ，Ｍ，Ｃ，Ｋ）を備えており、これらが図中矢印Ｆ方向に表面移動する中間転写ベルト１２１に沿って配置されている。各作像ユニット５（Ｙ，Ｍ，Ｃ，Ｋ）は、ドラム状の像担持体としての感光体１（Ｙ，Ｍ，Ｃ，Ｋ）をそれぞれ有している。さらに、画像形成部６０は、露光装置４を備えている。
【００２４】
中間転写ベルト１２１の内側には、感光体１（Ｙ，Ｍ，Ｃ，Ｋ）から中間転写ベルト１２１上にトナー像を転写する一次転写ローラ２４（Ｙ，Ｍ，Ｃ，Ｋ）を設けている。一次転写ローラ２４（Ｙ，Ｍ，Ｃ，Ｋ）よりも下流側には、中間転写ベルト１２１表面に対向するように二次転写ローラ２３を設けている。また、二次転写ローラ２３よりも下流には、トナー像転写後の中間転写ベルト１２１表面のクリーニングをする図示しない中間転写ベルトクリーニング装置を設けている。なお、本実施形態の複写機５００では、これらは一体的に構成され、複写機５００本体に脱着可能な中間転写ユニット１２０の形態をなしている。なお、作像ユニット５（Ｙ，Ｍ，Ｃ，Ｋ）、露光装置４、中間転写ユニット１２０、定着装置８等は、スキャナ３で読み取った画像情報に基づいて記録媒体としての転写紙Ｐに画像を形成する画像形成手段を構成する。
【００２５】
画像形成部６０の上方に配置されたスキャナ３は、光源を有する第一走行体、ミラーを有する第二走行体、結像レンズ及び読取センサ（いずれも不図示）等から構成されている。
【００２６】
四つの作像ユニット５（Ｙ，Ｍ，Ｃ，Ｋ）の下方には露光装置４を設けている。また、画像形成部６０の下方には、給紙部２を設けている。給紙部２は、転写紙Ｐを収容する給紙カセット２ａ、給紙手段である給紙ローラ２７を備えている。また、二次転写ローラ２３の上方には、転写紙Ｐ上の画像を定着する定着装置８と、排紙ローラ２６とを設けている。
【００２７】
四つの作像ユニット５（Ｙ，Ｍ，Ｃ，Ｋ）は、収容するトナーの色が異なる以外は、同一の構成であるため、以下、符号を適宜省略して説明する。作像ユニット５は、感光体１の周りに、感光体１表面に電荷を与える図示しない帯電装置、感光体１表面に形成された潜像を各色トナーで現像してトナー像とする図示しない現像装置を備えている。また、トナー像転写後の感光体１表面のクリーニングをする図示しないクリーニング装置が配置されている。
【００２８】
次に、本実施形態に係る複写機５００の動作例について説明する。
画像開始の信号を受けると、中間転写ベルト１２１が表面移動を開始する。同時に、イエロー用作像ユニット５Ｙでは、イエロー用感光体１Ｙを図示しない帯電装置により一様に帯電し、露光装置４によりレーザ光を照射され静電潜像を形成する。静電潜像は、図示しない現像装置により現像され、これによりイエロー用感光体１Ｙにイエローのトナー像が形成される。同様にして、他の色用の作像ユニット５（Ｍ，Ｃ，Ｋ）においても、各感光体１（Ｍ，Ｃ，Ｋ）に、それぞれマゼンタ、シアン、黒のトナー像が形成される。中間転写ベルト１２１の表面移動に伴い、各色トナー像は一次転写ローラ２４（Ｙ，Ｍ，Ｃ，Ｋ）で順次転写され、中間転写ベルト１２１上に合成カラー画像を形成する。なお、各色の作像動作は、そのトナー像が中間転写ベルト１２１の同じ位置に重ねて転写されるように、上流側から下流側に向けてタイミングをずらして実行される。
【００２９】
一方、給紙カセット２ａから給紙ローラ２７により転写紙Ｐが給紙され、中間転写ベルト１２１と二次転写ローラ２３とによって形成される二次転写ニップ部に搬送される。そして、中間転写ベルト１２１上の合成カラー画像を二次転写ローラ２３で転写して転写紙Ｐ上にカラー画像を転写する。画像転写後の転写紙Ｐは、定着装置８へと送り込まれ、転写画像を定着される。定着装置８内で定着処理が施された転写紙Ｐは、排紙ローラ２６により排紙トレイ３０上にスタックされるか、もう一方の面にもトナー像を形成するために反転装置３１に送られるかの何れかの搬送形態が選択される。
【００３０】
また、トナー像転写後の各感光体１（Ｙ，Ｍ，Ｃ，Ｋ）上の残留トナーは、それぞれのクリーニング装置によってクリーニングされる。また、トナー像転写後の中間転写ベルト１２１上の残留トナーは、図示しない中間転写ベルトクリーニング装置によってクリーニングされる。各感光体１（Ｙ，Ｍ，Ｃ，Ｋ）上から回収された廃トナーは、各クリーニング装置内に設けられた図示しない廃トナー搬送スクリュにより、複写機５００内に設けられ廃トナーボトル３００に排出される。また、中間転写ベルト１２１上から回収された廃トナーは、中間転写ベルトクリーニング装置内の図示しないベルト廃トナー搬送スクリュにより、複写機５００内に設けられた廃トナーボトル３００に排出される。
【００３１】
また、画像形成によりトナーを消費した各現像装置には、図２中左上方の、イエロー、マゼンタ、シアン、黒の各トナーが充填されたトナーボトル７（Ｙ，Ｍ，Ｃ，Ｋ）から図示しない搬送経路によって、所定の補給量だけ各色の現像装置にトナーが補給される。なお、四つの作像ユニット５（Ｙ，Ｍ，Ｃ，Ｋ）及びトナーボトル７（Ｙ，Ｍ，Ｃ，Ｋ）の配列順は図２に示す例に限定されるものではない。
【００３２】
本実施形態に係る複写機５００で、図示しない原稿のコピーがとられる際には、例えばシート状の原稿がスキャナ３の図示しない原稿台上にセットされる。原稿がセットされた後、図示しないコピースタートスイッチが押下されると、スキャナ３による原稿読取動作がスタートする。原稿読取動作では、まず、図示しない第一走行体と第二走行体とがともに走行を開始し、第一走行体に設けられた光源から光が発射される。そして、原稿面からの反射光が第二走行体内に設けられたミラーによって反射され、図示しない結像レンズを通過した後、図示しない読取センサに入射される。そして、読取センサは、入射光に基づいて画像情報を構築する。
【００３３】
上記原稿読取動作と並行して、各作像ユニット５（Ｙ，Ｍ，Ｃ，Ｋ）内の各機器や、中間転写ユニット１２０、二次転写ローラ２３、定着装置８がそれぞれ駆動を開始する。そして、スキャナ３によって読み取られた画像情報に基づいて、露光装置４が駆動制御されて、各感光体１（Ｙ，Ｍ，Ｃ，Ｋ）上に、Ｙ、Ｍ、Ｃ及びＫトナー像が形成される。これらトナー像は、中間転写ベルト１２１上に重ね合わせ転写された四色トナー像となる。
【００３４】
また、原稿読取動作の開始とほぼ同時に、給紙部２内では給紙動作が開始される。この給紙動作では、給紙ローラ２７の一つが選択回転され、多段に収容される給紙カセット２ａの一つから転写紙Ｐが送り出される。送り出された転写紙Ｐは、給紙ローラ２７で一枚ずつ分離されて用紙搬送路２８に進入した後、搬送ローラ対２９によって二次転写ニップに向けて搬送される。このような給紙カセット２ａからの給紙に代えて、手差しトレイ５０からの給紙が行われる場合もある。この場合、手差し給紙ローラ５１が回転して手差しトレイ５０上の転写紙Ｐを送り出し、転写紙Ｐを一枚ずつ手差し給紙路５２に給紙する。
【００３５】
本実施形態は、給紙部２上方かつ、画像形成部６０の右側面に反転装置３１が設けられている。よって、反転装置３１の下方にスペースができる。このように、反転装置３１の下方にスペースがあると、外観品質が悪くなる。また、複写機５００を持ち運ぶ際に反転装置３１を取っ手代わりに持たれて反転装置３１が破損するおそれもある。このため、本実施形態においては、反転装置３１の下方であり給紙部２の図中右側方に、外装カバー４０を取り付けている。これにより、外観品質が良くなり、また、複写機５００を持ち運ぶ際に反転装置３１を取っ手代わりに持たれることがなくなる。
【００３６】
この複写機５００は、オプションとして、図３に示すように、給紙部２の下方に第二給紙部７０を設けることができる。この第二給紙部７０を設けるときは、外装カバー４０を取り外して、その位置に第二給紙部７０が取り付けられる。
【００３７】
次に、廃トナーボトル３００を交換するときに、外装カバーの一部である開閉カバー１０を開閉するカバー開閉機構１００について説明する。
複写機５００等の画像形成装置は内部に配置される消耗品の交換のため、消耗品が配置された箇所は、使用者が簡単に外装カバーを開閉できるようにしておく必要がある。
図４は、廃トナーボトル３００を交換するときに、開放する開閉カバー１０を開放した状態の複写機５００の斜視図であり、図５は、図４中の領域αの拡大説明図である。
【００３８】
図４及び図５に示すように、開閉カバー１０が開放されることにより、内側に収納された交換部材である廃トナーボトル３００を着脱できるようになる。本実施形態では交換部材が廃トナーボトル３００である場合の例であるが、トナーボトルや画像形成ユニットなど、他の交換部材を交換するためにカバー部材を開閉するカバー開閉機構であれば、本発明は適用可能である。
【００３９】
図６は、カバー開閉機構１００の平面図であり、開閉カバー１０を示す符号「１０（Ａ）」〜「１０（Ｄ）」で開閉カバー１０の軌跡を示している。また、図７は、閉鎖状態（図６中の「１０（Ａ）」の状態）のカバー開閉機構１００における開閉カバー１０の回動軸（カバー回動軸１１）近傍の拡大平面図である。
【００４０】
カバー開閉機構１００は、開閉カバー１０、カバー回動軸１１、アーム部材２０、アーム回動軸２１及び内部部品２１０等を備える。内部部品２１０は、複写機５００本体（以下、装置本体２００と呼ぶ）に固定された部材であり、内部部品２１０の一部は装置手前側（図７中の下側）に突出し、アーム回動軸２１を支持するアーム回動軸支持部２２０を形成している。
開閉カバー１０は、装置本体２００の一部（本実施形態では廃トナーボトル３００の収容部）を覆う閉鎖状態（図６中の「１０（Ａ）」の状態）から、カバー回動軸１１を中心に図６中の矢印Ａ方向に回転する。この回転で、移動端１０ａが装置本体２００から離れる方向に移動する。これにより、開閉カバー１０は、装置本体２００の一部を開放した開放状態（図６中の「１０（Ｅ）」の状態）となる。
【００４１】
アーム部材２０は、カバー回動軸１１を支持し、カバー回動軸１１と平行な支持部材回動軸であるアーム回動軸２１を中心に回動することで、カバー回動軸１１の装置本体２００に対する位置を変化させるカバー回動軸支持部材である。また、カバー開閉機構１００は、アーム部材２０がアーム回動軸２１を中心に図中矢印Ｅ方向に回転するように付勢する付勢手段として、加圧部材２５を備える。
【００４２】
アーム部材２０は、開閉カバー１０のヒンジ部品として機能し、開閉カバー１０は、カバー回動軸１１を中心にアーム部材２０に対して回動可能となっている。
アーム部材２０には、開閉する開閉カバー１０を回動可能に支持するカバー回動軸１１の他に、アーム回動軸２１が設けられている。このアーム回動軸２１によって、アーム部材２０が装置本体２００に固定された内部部品２１０のするアーム回動軸支持部２２０に対して回動可能に連結されている。
また、加圧部材２５は、アーム回動軸２１の軸周りに配置され、アーム部材２０に支持されたカバー回動軸１１を装置本体２００に近づけるようにアーム部材２０を加圧する。本実施形態では、加圧部材２５としてトーションスプリングを用いているが、板バネや直線バネのような他の付勢部材で代替しても良い。
【００４３】
図７に示すように、開閉カバー１０を閉鎖状態としたときに、開閉カバー１０の根元側端部であるカバー端部１５よりもカバー回動軸１１及びアーム回動軸２１が開閉カバー１０の移動端側に位置している。このため、閉鎖状態での開閉カバー１０を図中のＹ軸に平行に投影したときの投影図内に、カバー回動軸１１が収まる構成となっている。このような構成では、閉鎖状態のときに、カバー回動軸１１、アーム部材及び及びアーム回動軸２１といったヒンジ機構を開閉カバー１０で覆うことができ、装置全体の外観を美しくすることができる。
【００４４】
次に本実施形態のカバー開閉機構１００の特徴部について説明する。
図１は、本実施形態のカバー開閉機構１００を模式的に示した平面図である。図１（ａ）は、閉鎖状態の説明図であり、図１（ｂ）は、開放状態の説明図である。
カバー開閉機構１００は、開閉カバー１０とアーム部材２０とを備える構成で、カバー回動軸１１が装置本体２００に近付く方向に移動する回転方向（図中矢印Ｅ方向）にアーム部材２０が回転するように、アーム部材２０を付勢する加圧部材２５を備える。
【００４５】
カバー開閉機構１００では、閉鎖状態から開放状態とする場合、使用者が開閉カバー１０を手前側（図１中の下側）に引っ張る等により、開閉カバー１０の移動端１０ａが手前側に移動する回転方向（図１（ａ）中の矢印Ａ方向）に開閉カバー１０を回転させる。これにより、開閉カバー１０におけるカバー回動軸１１を挟んで移動端１０ａ側とは反対側の端部となる根元側端部である根元側角部１２が装置本体２００に固定された被カバー面２０１に突き当たる。このように突き当たった状態から、さらに開閉カバー１０を回転させると、根元側角部１２が被カバー面２０１を押し、被カバー面２０１が根元側角部１２を押し返す力が作用する。これにより、カバー回動軸１１が被カバー面２０１から離れる方向に移動するように、アーム部材２０がアーム回動軸２１を中心に図１中の矢印Ｃ方向に回転する。
【００４６】
アーム部材２０が矢印Ｃ方向に回転することで、カバー回動軸１１が被カバー面２０１から離れる方向に移動する。カバー回動軸１１が被カバー面２０１から離れる方向に移動することで、根元側角部１２が被カバー面２０１の表面に沿って移動するように開閉カバー１０が回転する。これにより、根元側角部１２が被カバー面２０１に干渉することなく、開閉カバー１０の開放を行うことができる
【００４７】
また、図１（ｂ）に示す状態から開閉カバー１０を図中矢印Ａ’方向に回転させることで、図１（ａ）に示す閉鎖状態とすることができる。図１に示す本実施形態のカバー開閉機構１００では、閉鎖状態でカバー回動軸１１が剥き出しになっておらず、さらに、開閉カバー１０と被カバー面２０１との隙間を図１２（ｂ）の構成に比べて狭くすることができる。このため、根元側角部１２が被カバー面２０１に干渉しない開閉カバー１０の開閉を実現しつつ、閉鎖状態での複写機５００の外観の美しさの向上を図ることができる。
【００４８】
図１３や図１４を用いて説明したカバー開閉機構１００では、アーム部材２０がアーム回動軸２１周りについて自由に回動可能な構成となっている。このような構成の場合、被カバー部幅方向である装置幅方向（図１中の左右方向）におけるカバー回動軸１１の位置がアーム回動軸２１の位置と同じ位置（図１中の一点鎖線Ｈで示す位置）になることがある。このような位置関係となったとき、カバー回動軸１１は装置本体２００から最も離れた位置となる。閉鎖状態からカバー回動軸１１が装置本体２００から離れる方向に移動する回転方向（図中矢印Ｃ方向）にアーム部材２０が回転し、カバー回動軸１１が図１中の一点鎖線Ｈで示す位置に到達する。その後、さらにアーム部材２０が回転すると、カバー回動軸１１がアーム回動軸２１よりも図１中の左側へと移動し、カバー回動軸１１とアーム回動軸２１との位置関係が入れ替わる。
【００４９】
一方、本実施形態のカバー開閉機構１００は、加圧部材２５が、カバー回動軸１１が装置本体２００に近付く方向に移動する回転方向（図中矢印Ｅ方向）にアーム部材２０が回転するようにアーム部材２０を付勢する。このため、カバー回動軸１１が装置本体２００から最も離れた位置となる、すなわち、カバー回動軸１１が図１中の一点鎖線Ｈで示す位置に到達することを抑制する。これにより、装置幅方向におけるカバー回動軸１１とアーム回動軸２１との位置関係が入れ替わることを抑制する。これにより、装置幅方向におけるカバー回動軸１１とアーム回動軸２１との位置関係が入れ替わって、開閉カバー１０の開閉動作が不安定になることを抑制できる。このため、アーム部材２０を備えるカバー開閉機構１００で安定した開閉カバー１０の開閉動作を行うことができる。
【００５０】
被カバー面２０１は、閉鎖状態のときに開閉カバー１０に覆われ、開閉カバー１０に近接して対向する装置本体２００側の面である。図１３及び図１４を用いて説明したカバー開閉機構１００では、特許文献１に記載の構成と同様に、アーム部材２０の回動軸であるアーム回動軸２１が被カバー面２０１よりも装置本体２００の内側に配置されている。このような配置では、アーム回動軸２１を配置する空間だけでなく、アーム部材２０が回動しても装置内の他の部材と干渉しないように、アーム部材２０の軌跡の範囲に空間を装置内に確保する必要がある。このような空間を装置本体２００内に確保しようとすると装置本体２００の大型化に繋がる。
【００５１】
一方、図１に示す構成を備えた本実施形態のカバー開閉機構１００では、アーム回動軸２１が被カバー面２０１よりも外側に配置されている。詳しくは、装置本体２００に固定されたアーム回動軸支持部２２０を被カバー面２０１よりも外側に突き出すように設け、このアーム回動軸支持部２２０にアーム回動軸２１を設ける。これにより、アーム回動軸２１が被カバー面２０１よりも装置本体２００の外側となるように配置されている。これにより、アーム部材２０の軌跡の範囲となる空間を装置本体２００内に確保する必要がなくなり、装置本体２００の大型化を防ぐことができる。
【００５２】
しかし、アーム回動軸２１が被カバー面２０１よりも装置本体２００の外側となる構成では、アーム部材２０の回動を妨げるものが少ないため、アーム部材２０が自由に回動し易い。アーム部材２０が自由に回動すると、上述したように、カバー回動軸１１とアーム回動軸２１との装置幅方向における位置関係が入れ替わる等、開閉カバー１０の開閉動作が不安定になり易い。
一方、図１に示す構成を備えた本実施形態のカバー開閉機構１００では、加圧部材２５によってアーム部材２０を付勢し、アーム部材２０が自由に回動することを抑制するため、安定した開閉カバー１０の開閉動作を行うことができる。
【００５３】
カバー開閉機構１００では、開閉カバー１０を図中のＹ軸に平行に投影したときの投影図内に、カバー回動軸１１が収まる構成となっており、カバー回動軸１１が別の回動軸であるアーム回動軸２１を中心に回動して移動可能な構成となっている。これにより、開閉カバー１０の回動中心自身を移動させながら開閉カバー１０が回動しする。さらに、トーションスプリング等の加圧部材２５によって回動範囲が規制されている。
これにより、装置本体である複写機５００の外観に影響をあたえることなく、且つ、マシンサイズを大きくすることなく、省スペースで開閉カバー１０を安定的に開閉させることができる。
【００５４】
以下、図６〜図１０を用いて本実施形態のカバー開閉機構１００の具体的な構成について説明する。
図８は、一つ目の開放途中の状態（図６中の「１０（Ｃ）」の状態）のカバー開閉機構１００における開閉カバー１０の回動軸（カバー回動軸１１）近傍の拡大平面図である。また、図９は、二つ目の開放途中の状態（図６中の「１０（Ｄ）」の状態）のカバー開閉機構１００における開閉カバー１０の回動軸（カバー回動軸１１）近傍の拡大平面図である。そして、図１０は、開放状態（図６中の「１０（Ｅ）」の状態）のカバー開閉機構１００における開閉カバー１０の回動軸（カバー回動軸１１）近傍の拡大平面図である。
図６〜図１０に示す具体的な実施形態では、開閉カバー１０のカバー端部１５が、図１を用いて模式的に示した構成の開閉カバー１０の根元側角部１２に該当する。
【００５５】
図２で示す複写機５００の図２中の左側は、紙折り装置等の拡張装置が配置され得る領域である。この領域を図６中に拡張装置設置領域βとして示す。
図６に示すように、開閉カバー１０は閉状態と開状態との間でカバー回動軸１１を中心に回動することで開閉するが、カバー回動軸１１もアーム回動軸２１を中心に回動して移動する。
開閉カバー１０の軌跡は装置本体２００の外郭２３０の左側の拡張装置設置領域βに進入することが無いように設定されており、装置本体２００の左側に機能拡張のための拡張装置が配置されても開閉カバー１０の開閉が阻害されることはない。
【００５６】
開閉カバー１０の開放動作によって、カバー端部１５の軌跡は装置本体の外郭２３０よりも内側（図中で右側）に入り込む。しかし、カバー端部１５の軌跡が、閉鎖状態での開閉カバー１０の厚み（図７中の上下方向の幅）の内側に収まっており、開閉カバー１０を回動させたときのカバー端部１５の軌跡の範囲を確保するために余計な空間を必要としていない。
【００５７】
上述したように、アーム部材２０は、加圧部材２５によってアーム回動軸２１を中心に図中矢印Ｅ方向に回転するように付勢されている。これにより、カバー回動軸１１近傍と開閉カバー１０とは図７中上向きに付勢されるが、開閉カバーに設けられた突起部１３が装置本体２００の内部部品２１０の被カバー面２０１に突き当たることにより、回転は止められ、閉状態が維持される。
【００５８】
図７に示す閉鎖状態では、カバー端部１５は、被カバー面２０１の表面を含む仮想平面上、または、この仮想平面に近接する位置にある。
このように配置することによって、開閉カバー１０と装置本体２００との間に形成される隙間を狭くし、外観の美しさの向上を図ることができる。
【００５９】
カバー端部１５は、開閉カバー１０における移動端１０ａとは反対側の端部である根元側端部に該当する。そして、図７に示す閉鎖状態では、カバー端部１５は、開閉カバー１０がカバーする対象を覆っている部分における外側の面である外面１０ｂよりも装置本体２００側（図７中上側）に位置している。
また、カバー端部１５は上記仮想平面上、または、この仮想平面に近接する位置にあるため、被カバー面２０１のその表面に直交する方向の位置は、閉鎖状態でのカバー端部１５と略同じ位置となっている。
【００６０】
閉鎖状態におけるカバー端部１５に対する被カバー面２０１の位置としては、カバー端部１５よりも被カバー面２０１が開閉カバー１０の外面１０ｂ側に位置する配置としてもよい。これにより、開閉カバー１０と装置本体２００との間の隙間を無くし、外観の美しさの向上を図ることができる。
このような配置では、開閉カバー１０を開放しようとすると、カバー端部１５が装置本体２００に突き当たってしまうが、本実施形態では、カバー回動軸１１が移動することで、突き当たったあとも開閉カバー１０を回転させ開放状態とすることができる。
【００６１】
図１２に示すカバー開閉機構１００のように一つの回動軸によって開閉カバー１０を回動させる構成の場合、水平面に平行な平面において、被カバー面２０１の法線のうち、根元側角部１２を通る法線上にカバー回動軸１１が位置する必要があった。このような位置関係にないと、根元側角部１２が被カバー面２０１に干渉してしまう。
これに対して、本実施形態のカバー開閉機構１００では、カバー端部１５を通る被カバー面２０１の法線上にカバー回動軸１１が位置しない構成であってもアーム部材２０の回動によって干渉を回避することが出来る。
【００６２】
開閉カバー１０の根元側端部近傍は丸み部１４が形成されており、その端部がカバー端部１５となっている。また、図７中の円弧状の丸み部１４の中心である丸み中心Ｇとカバー回動軸１１とを結ぶ直線と、被カバー面２０１の表面の法線Ｎとが成す角θ１は、図１０に示す開閉カバー１０の開放角θ２と同じ角度となる。
【００６３】
アーム部材２０は、アーム回動軸２１周りに加圧部材２５によって図中矢印Ｅ方向に付勢されている。図７に示す状態からカバー端部１５が内部部品２１０の被カバー面２０１に乗り上げる図８に示す状態となるまでは、加圧部材２５の付勢力により、図７に示す閉鎖状態に戻される。
開閉カバー１０を図中時計回り方向（矢印Ａ方向）に回転させる外力を使用者が加えたときにのみ、図７に示す閉鎖状態から図８に示す状態まで開閉カバー１０を移動させることができる。図８に示す状態からさらに開閉カバー１０を回転させると、カバー端部１５が内部部品２１０の被カバー面２０１を乗り越え、図９の状態となる。
【００６４】
図９に示す状態は、図８の状態から開閉カバー１０を図中時計回り方向（図中矢印Ａ方向）に回転させる外力を使用者が加え、カバー端部１５が完全に内部部品２１０の被カバー面２０１へ乗り上げた状態である。このとき、カバー回動軸１１近傍には依然として加圧部材２５による付勢力によって図中上向きの力が作用している。このため開閉カバー１０は外側の面の丸み部１４が内部部品２１０の被カバー面２０１に接しながら、カバー回動軸１１を中心に回転していく。丸み部１４の表面上に位置によってカバー回動軸１１までの距離が異なる形状となっており、丸み部１４が被カバー面２０１に接した状態で開閉カバー１０が回転すると、被カバー面２０１からカバー回動軸１１の距離が変化するようにアーム部材２０も回転する。
このため、図９に示す状態から開閉カバー１０が図中時計回り方向（図中矢印Ａ方向）に回転していくと、カバー回動軸１１が被カバー面２０１に最も近付く図１０の状態まで回転していく。このため、装置本体２００に固定された被カバー面２０１にカバー端部１５が乗り上げる状態まで使用者が開閉カバー１０を回転させれば、開閉カバー１０は自動的に図１０に示す開放状態まで開いていく。
【００６５】
アーム部材２０は、加圧部材２５によってアーム回動軸２１周りについて図中の矢印Ｅ方向に付勢され、これにより、カバー回動軸１１と開閉カバー１０とは図１０中上向きに付勢される。
図１０に示す状態は、開閉カバー１０の丸み部１４が被カバー面２０１に接して状態であり、且つ、カバー回動軸１１が被カバー面２０１に最も近付いた状態である。この状態では、カバー回動軸１１と丸み中心Ｇとを結んだ直線と、丸み部１４が接触する位置における被カバー面２０１の法線とが重なる状態となる。
【００６６】
図１０に示す状態から、開閉カバー１０を何れかの方向に回転させようとすると、被カバー面２０１から離れる方向にカバー回動軸１１を移動させる必要があり、加圧部材２５の付勢力に逆らう方向にアーム部材２０を回転させる必要がある。このため、図１０に示す状態となると、使用者が外力を加えないと、アーム部材２０と開閉カバー１０とが共にこれ以上回転出来なくなるため、開放状態が維持される。
【００６７】
図１１は、閉鎖状態の移動端１０ａを保持する保持手段としてプッシュ式ラッチ１９を配置した複写機５００の斜視図である。
図７に示すように、加圧部材２５による付勢と突起部１３の突き当たりにより、開閉カバー１０の閉鎖状態を維持することはできる。しかし、閉鎖状態において、アーム部材２０等からなるヒンジ機構がない移動端１０ａを保持することで、ガタツキを抑えて堅牢感を出すことができる。
【００６８】
移動端１０ａを保持する方法としては、ネジ固定やマグネットによる固定でもよいが、図１１に示すようにプッシュ式ラッチ１９を用いることで、開閉カバー１０の所定の位置を開閉カバー１０の外側から押すだけで開閉カバー１０を開くことができるようになる。これによって、開閉カバー１０の外面１０ｂに使用者が手をかけるための取手形状を設ける必要がなくなり、装置全体の外観を美しくすることができる。
【００６９】
以上に説明したものは一例であり、本発明は、次の態様毎に特有の効果を奏する。
（態様Ａ）
廃トナーボトル３００の設置部等の装置本体の一部を覆う閉鎖状態から、移動端１０ａ等のその移動端が装置本体から離れる方向に移動するようにカバー回動軸１１等のカバー回動軸を中心に回動することで、装置本体の一部を開放する開放状態となる開閉カバー１０等のカバー部材と、カバー回動軸を支持し、カバー回動軸と平行なアーム回動軸２１等の支持部材回動軸を中心に回動することで、カバー回動軸の装置本体に対する位置を変化させるアーム部材２０等のカバー回動軸支持部材とを備えるカバー開閉機構１００等のカバー開閉機構において、カバー回動軸が装置本体に近付く方向に移動する回動方向にカバー回動軸支持部材が回動するように、カバー回動軸支持部材を付勢する加圧部材２５等の付勢手段を備える。
これによれば、上記実施形態について説明したように、カバー部材の安定した開閉動作を行うことができる。
（態様Ｂ）
態様Ａにおいて、開閉カバー１０等のカバー部材における移動端１０ａ等の移動端とは反対側の端部であるカバー端部１５等の根元側端部は、閉鎖状態のときには、カバー部材の外面１０ｂ等の外面よりも装置本体２００等の装置本体側に位置し、閉鎖状態のときにカバー部材に覆われ、カバー部材に近接して対向する装置本体側の面である被カバー面２０１等の被カバー面のその表面に直交する方向の位置が、閉鎖状態での根元側端部と同じ位置、または、根元側端部よりも該カバー部材の外面側に位置する。
これによれば、上記実施形態について説明したように、カバー開閉機構１００等のカバー開閉機構を備える装置本体の外観の美しさの向上を図ることができる。
（態様Ｃ）
態様ＡまたはＢにおいて、開閉カバー１０等のカバー部材は、移動端１０ａ等の移動端とは反対側の端部であるカバー端部１５等の根元側端部近傍に円弧状の丸み部１４等の丸み部が形成されており、カバー回動軸１１等のカバー回動軸に直交する平面（図１等の平面図で示す平面等）で、丸み中心Ｇ等の丸み部の円弧の中心とカバー回動軸とを結んだ直線と、閉鎖状態のときにカバー部材に覆われ、カバー部材に近接して対向する装置本体側の面である被カバー面２０１等の被カバー面の法線のうち、法線Ｎ等のカバー回動軸を通る法線とが成す角のうちの鈍角となるθ１等の角の角度は、開放状態のときのカバー部材の被カバー面に対する角度である開放角θ２等の必要な角度以上の大きさである。
これによれば、上記実施形態について説明したように、カバー部材は、カバー回動軸と丸み部の中心とを結んだ直線と、丸み部が接触する位置における被カバー面の法線とが重なる状態まで回転することが可能である。このときのカバー部材の被カバー面に対する角度は、閉鎖状態で円弧の中心とカバー回動軸とを結んだ直線とカバー回動軸を通る法線とが成す角のうちの鈍角と同じ角度となる。このため、この鈍角の角度を開放状態における必要な角以上の大きさに設定することで、所望の開放状態を実現できる。
（態様Ｄ）
態様Ａ乃至Ｃの何れかの態様において、閉鎖状態のときに開閉カバー１０等のカバー部材に覆われ、カバー部材に近接して対向する装置本体側の面である被カバー面２０１等の被カバー面に対して、加圧部材２５等の付勢手段の付勢によって突き当たる突起部１３等の突き当て部をカバー部材が有する。
これによれば、上記実施形態について説明したように、付勢手段による付勢と突き当て部の突き当たりにより、カバー部材の閉鎖状態を維持することはできる。
（態様Ｅ）
態様Ａ乃至Ｄの何れかの態様において、閉鎖状態で移動端１０ａ等の移動端を保持する移動端保持手段を備える。
これによれば、上記実施形態について説明したように、閉鎖状態での開閉カバー１０等のカバー部材のガタツキを抑えて堅牢感を出すことができる。
（態様Ｆ）
態様Ｅにおいて、移動端保持手段としてプッシュ式ラッチ１９等のプッシュ式ラッチを備える。
これによれば、上記実施形態について説明したように、開閉カバー１０に使用者が手をかけるための取手形状を設ける必要がなくなり、装置全体の外観を美しくすることができる。
（態様Ｇ）
転写紙Ｐ等の記録体に画像を形成する画像形成部６０等の画像形成手段と、装置本体の一部を覆う開閉カバー１０等のカバー部材の開閉を行うカバー開閉手段とを有する複写機５００等の画像形成装置において、カバー開閉手段として、態様Ａ乃至Ｆの何れかの態様のカバー開閉機構を備える。
これによれば、上記実施形態について説明したように、画像形成装置の外観に影響をあたえることなく、且つ、マシンサイズを大きくすることなく、省スペースでカバー部材を安定的に開閉させることができる。
【符号の説明】
【００７０】
１  感光体
１Ｙ  イエロー用感光体
２  給紙部
２ａ  給紙カセット
３  スキャナ
４  露光装置
５  作像ユニット
５Ｙ  イエロー用作像ユニット
７  トナーボトル
８  定着装置
１０  開閉カバー
１０ａ  移動端
１０ｂ  外面
１１  カバー回動軸
１２  根元側角部
１３  突起部
１４  丸み部
１５  カバー端部
１９  プッシュ式ラッチ
２０  アーム部材
２１  アーム回動軸
２３  二次転写ローラ
２４  一次転写ローラ
２５  加圧部材
２６  排紙ローラ
２７  給紙ローラ
２８  用紙搬送路
２９  搬送ローラ対
３０  排紙トレイ
３１  反転装置
４０  外装カバー
５０  手差しトレイ
５１  給紙ローラ
５２  手差し給紙路
６０  画像形成部
７０  第二給紙部
１００  カバー開閉機構
１２０  中間転写ユニット
１２１  中間転写ベルト
２００  装置本体
２０１  被カバー面
２１０  内部部品
２２０  アーム回動軸支持部
２３０  外郭
３００  廃トナーボトル
５００  複写機
Ｇ  丸み中心
Ｈ  一点鎖線
Ｎ  法線
Ｐ  転写紙
β  拡張装置設置領域
【先行技術文献】
【特許文献】
【００７１】
【特許文献１】特開２０１２−１２６０２７号公報
【図１】
2014170117.tif 000003
【図２】
2014170117.tif 000004
【図３】
2014170117.tif 000005
【図４】
2014170117.tif 000006
【図５】
2014170117.tif 000007
【図６】
2014170117.tif 000008
【図７】
2014170117.tif 000009
【図８】
2014170117.tif 000010
【図９】
2014170117.tif 000011
【図１０】
2014170117.tif 000012
【図１１】
2014170117.tif 000013
【図１２】
2014170117.tif 000014
【図１３】
2014170117.tif 000015
【図１４】
2014170117.tif 000016